(57)【要約】  【課題】画像処理装置とネットワーク接続されたクライアントからリモートで画像処理装置のパラメータを設定をする場合において、数多くの設定項目のパラメータを設定でき、しかも直感的で視覚的な操作感をユーザに提供することが可能な画像処理システムなどを提供する。  【解決手段】  画像処理装置（ＭＦＰ３）は、クライアント（ＰＣ１００）の要求に応じてウェブコンテンツファイルを提供する。クライアント（ＰＣ１００）は、ウェブコンテンツファイルに基づいて設定画面を表示し、設定画面の所定領域内にドラッグアンドドロップされたファイルを画像処理装置（ＭＦＰ３）に転送する。画像処理装置（ＭＦＰ３）は、転送されたファイルを解析後、自装置の設定として反映する。【選択図】図４
2007300480.tif 000002
【特許請求の範囲】
【請求項１】
クライアントとネットワーク接続された画像処理装置であって、
設定画面のソースファイルを格納する格納手段と、
前記ソースファイルを送信する送信手段とを備え、
ここで前記ソースファイルは、クライアントにおける表示画面の所定領域内へのアイコンのドラッグアンドドロップを検出させる検出モジュールと、ドラッグアンドドロップされたアイコンに対応する設定ファイルを自装置へと転送させる転送モジュールとを含み、
さらに、転送された設定ファイルを受信する設定ファイル受信手段と、
受信された設定ファイルに含まれる画像処理に関するパラメータを自装置のパラメータとして設定する設定手段とを備えることを特徴とする画像処理装置。
【請求項２】
さらに、前記設定ファイルのパラメータ属性を判断する判断手段を備え、
前記設定手段は、判断されたパラメータ属性に基づいて自装置のパラメータを設定する
ことを特徴とする請求項１に記載の画像処理装置。
【請求項３】
さらに、表示画面とユーザからの入力を受け付ける複数の操作キーとを有する操作パネル部と、
前記操作パネル部を制御する操作パネル制御手段とを備え、
操作パネル制御手段は、前記判断手段により、設定ファイルのパラメータ属性が装置からの送信に関する宛先設定である、と判断された場合に、前記操作キーの１つを前記宛先設定に関するワンタッチキーとして表示させる
ことを特徴とする請求項２に記載の画像処理装置。
【請求項４】
さらに、ＦＡＸ送信を行うＦＡＸ手段を備え、
前記判断手段により、設定ファイルのパラメータ属性が、装置からのＦＡＸ送信の宛先番号と判断された場合に、前記操作パネル制御手段は前記操作キーの１つをＦＡＸ送信の宛先番号に係るワンタッチキーとして表示させる
ことを特徴とする請求項３に記載の画像処理装置。
【請求項５】
さらに、メール送信を行うメーラー手段を備え、
前記判断手段により、設定ファイルのパラメータ属性が、装置からのメール送信先と判断された場合に、前記操作パネル制御手段は前記操作キーの１つをメール送信先に係るワンタッチキーとして表示させる
ことを特徴とする請求項３に記載の画像処理装置。
【請求項６】
さらに、原稿を読み取って画像データを生成する画像読み取り手段を備え、
前記操作パネル制御手段は、ワンタッチキーの表示と共に、前記画像読み取り手段を、ＦＡＸ送信またはメール送信すべき原稿の読み取り待機状態に設定する
ことを特徴とする請求項４または５に記載の画像処理装置。
【請求項７】
前記操作パネル制御手段は、ワンタッチキーを暫定的に表示させ、
当該ワンタッチキーが、未使用のまま所定時間経過したと判断すると、前記ワンタッチキーの表示を解除する
ことを特徴とする請求項３に記載の画像処理装置。
【請求項８】
前記操作パネル制御手段は、表示解除までの残り時間をカウントダウン表示させる
ことを特徴とする請求項７に記載の画像処理装置。
【請求項９】
前記操作パネル制御手段は、ワンタッチキーを暫定的に表示させ、
当該ワンタッチキーの、使用履歴に応じて表示を解除することを特徴とする請求項３に記載の画像処理装置。
【請求項１０】
さらに、前記操作パネル部を利用する利用ユーザを識別する識別手段を備え、
前記操作パネル制御手段は、利用ユーザの識別を契機として、当該利用ユーザに関するワンタッチキーを表示させる
ことを特徴とする請求項３に記載の画像処理装置。
【請求項１１】
前記転送された設定ファイルは、ＸＭＬ形式で記述されており、
画像処理装置は、さらに、ＸＭＬ形式のファイルを解析するＸＭＬ解析手段を備え、
前記判断手段は、ＸＭＬ解析手段の解析結果に基づいて、前記設定ファイルのパラメータ属性を判断する
ことを特徴とする請求項２に記載の画像処理装置。
【請求項１２】
さらに、原稿を読み取って画像データを生成する画像読み取り手段を備え、
前記設定ファイルには、読み取り原稿サイズまたは読み取り解像度を含む画像読み取り条件に関するパラメータが含まれている
ことを特徴とする請求項１に記載の画像処理装置。
【請求項１３】
前記ソースファイルは、さらに、ドラッグアンドドロップされたアイコンに対応する設定ファイルの適合性を判断させる判断モジュールを含み、
前記転送モジュールは、適合性を有すると判断された設定ファイルを転送させる
ことを特徴とする請求項１に記載の画像処理装置。
【請求項１４】
クライアントとネットワーク接続された画像処理装置であって、
設定画面のソースファイルを格納する格納手段と、
クライアントからの要求に応じて、前記ソースファイルをクライアントに提供する提供手段と、
前記ソースファイルに基づいてクライアントにおいて表示される設定画面に関して、当該設定画面の所定領域内へアイコンのドラッグアンドドロップを、クライアントの検出機能を用いて検出させる検出手段と、
ドラッグアンドドロップされたアイコンに対応する設定ファイルを、クライアントの転送機能を用いて自装置に転送させる転送手段と、
転送された設定ファイルに含まれる画像処理に関するパラメータを自装置のパラメータとして設定する設定手段とを備える
ことを特徴する画像処理装置。
【請求項１５】
ネットワーク接続された画像処理装置とクライアントとを備えた画像処理システムであって、
画像処理装置は、
クライアントにおいて閲覧対象となるべきソースファイルを格納する格納手段と、
ソースファイルを送信する送信手段とを備え、
クライアントは、
前記ネットワークを介してソースファイルを受信する受信手段と、
受信されたソースファイルの内容を表示する閲覧手段とを備え、
前記ソースファイルは、表示される画面の所定領域内へのアイコンのドラッグアンドドロップを検出させる検出モジュールと、ドラッグアンドドロップされたアイコンに対応する設定ファイルを自装置へと転送させる転送モジュールとを含み、
前記画像処理装置は、さらに、
転送された設定ファイルを受信する設定ファイル受信手段と、
受信された設定ファイルに含まれる画像処理に関するパラメータを自装置のパラメータとして設定する設定手段とを備える
ことを特徴する画像処理システム。
【請求項１６】
ネットワーク接続された画像処理装置とクライアントとを備えた画像処理システムにおける画像処理装置のパラメータ設定方法であって、
クライアントにおいて、
画像処理装置から設定画面のソースファイルを受信する受信ステップと、
受信されたソースファイルに基づき設定画面を表示する表示ステップと、
表示される設定画面の所定領域内へのアイコンのドラッグアンドドロップを検出する検出ステップと、
ドラッグアンドドロップされたアイコンに対応する設定ファイルを画像処理装置へと転送する転送ステップとを実行し、
画像処理装置において、
転送された設定ファイルを受信する設定ファイル受信ステップと、
受信された設定ファイルに含まれる画像処理に関するパラメータを自装置のパラメータとして設定する設定ステップとを実行する
ことを特徴とする画像処理装置のパラメータ設定方法。
【発明の詳細な説明】
【技術分野】
【０００１】
本発明は、画像処理装置、画像処理システム及び画像処理装置のパラメータ設定方法に関し、特に、画像処理装置の設定パラメータを、装置に接続されたクライアントからリモートで設定する技術に関する。
【背景技術】
【０００２】
画像処理装置の設定をリモートで行う方法としては、画像処理装置とネットワーク接続されたクライアントのＷｅｂブラウザ上で設定できるとする構成が開示されている（特許文献１参照）。
この構成によれば、遠隔にある画像処理装置の設定を、ユーザが使い慣れたインターフェイスを備えるであろうＷｅｂブラウザ上で行うことができ、設定作業の簡略化が実現できるとしている。
【特許文献１】特開2005-301610号公報
【発明の開示】
【発明が解決しようとする課題】
【０００３】
しかしながら、従来の技術はＷｅｂブラウザ上で設定可能であるとはいえ、未だ直感的で視覚的な操作感には欠けており、特に画像処理装置に関する知識が十分ではない初心者ユーザには利用されにくい傾向にある。
また、近年の画像処理装置の機能の多様化に伴って設定項目は増大しており、少ない作業量で多くの設定項目のパラメータを設定することが求められている。
【０００４】
本発明は上述の問題に鑑みてなされたものであって、画像処理装置とネットワーク接続されたクライアントからリモートで画像処理装置のパラメータを設定をする場合において、数多くの設定項目のパラメータを設定でき、しかも直感的で視覚的な操作感をユーザに提供することが可能な画像処理装置、画像処理システム、画像処理装置のパラメータ設定方法を提供することを目的とする。
【課題を解決するための手段】
【０００５】
上記目的を達成するために、本発明に係る画像処理装置は、クライアントとネットワーク接続された画像処理装置であって、設定画面のソースファイルを格納する格納手段と、前記ソースファイルを送信する送信手段とを備え、ここで前記ソースファイルは、クライアントにおける表示画面の所定領域内へのアイコンのドラッグアンドドロップを検出させる検出モジュールと、ドラッグアンドドロップされたアイコンに対応する設定ファイルを自装置へと転送させる転送モジュールとを含み、さらに、転送された設定ファイルを受信する設定ファイル受信手段と、受信された設定ファイルに含まれる画像処理に関するパラメータを自装置のパラメータとして設定する設定手段とを備えることを特徴とする。
【０００６】
また、本発明に係る画像処理システムは、ネットワーク接続された画像処理装置とクライアントとを備えた画像処理システムであって、画像処理装置は、クライアントにおいて閲覧対象となるべきソースファイルを格納する格納手段と、ソースファイルを送信する送信手段とを備え、クライアントは、前記ネットワークを介してソースファイルを受信する受信手段と、受信されたソースファイルの内容を表示する閲覧手段とを備え、前記ソースファイルは、表示される画面の所定領域内へのアイコンのドラッグアンドドロップを検出させる検出モジュールと、ドラッグアンドドロップされたアイコンに対応する設定ファイルを自装置へと転送させる転送モジュールとを含み、前記画像処理装置は、さらに、転送された設定ファイルを受信する設定ファイル受信手段と、受信された設定ファイルに含まれる画像処理に関するパラメータを自装置のパラメータとして設定する設定手段とを備えることを特徴する。
【０００７】
また、本発明に係る画像処理装置のパラメータ設定方法は、ネットワーク接続された画像処理装置とクライアントとを備えた画像処理システムにおける画像処理装置のパラメータ設定方法であって、クライアントにおいて、画像処理装置から設定画面のソースファイルを受信する受信ステップと、受信されたソースファイルに基づき設定画面を表示する表示ステップと、表示される設定画面の所定領域内へのアイコンのドラッグアンドドロップを検出する検出ステップと、ドラッグアンドドロップされたアイコンに対応する設定ファイルを画像処理装置へと転送する転送ステップとを実行し、画像処理装置において、転送された設定ファイルを受信する設定ファイル受信ステップと、受信された設定ファイルに含まれる画像処理に関するパラメータを自装置のパラメータとして設定する設定ステップとを実行することを特徴とする。
【発明の効果】
【０００８】
課題を解決するための手段に記載した構成によれば、設定ファイルアイコンのドラッグアンドドロップという視覚に訴える直感的なインターフェイスを提供することができる。
また、例えば、ドラッグアンドドロップする設定ファイルに、多数の設定項目毎のパラメータを含ませておくことで、少ない作業で数多くの設定項目のパラメータを設定することが可能となる。
【０００９】
また、さらに、前記設定ファイルのパラメータ属性を判断する判断手段を備え、前記設定手段は、判断されたパラメータ属性に基づいて自装置のパラメータを設定することを特徴とする。
また、さらに、表示画面とユーザからの入力を受け付ける複数の操作キーとを有する操作パネル部と、前記操作パネル部を制御する操作パネル制御手段とを備え、操作パネル制御手段は、前記判断手段により、設定ファイルのパラメータ属性が装置からの送信に関する宛先設定である、と判断された場合に、前記操作キーの１つを前記宛先設定に関するワンタッチキーとして表示させることを特徴とする。
【００１０】
この構成によれば、ユーザは、画像処理装置に出向いて操作パネル部を操作することなく、ワンタッチキーを簡単に設定することができる。また、多数のユーザに共用される環境にある画像処理装置において、あるユーザが操作パネル部で複雑な設定を行うため操作パネル部を長時間占有し、ユーザの順番待ちが発生してしまう事態を回避できる。
また、さらに、ＦＡＸ送信を行うＦＡＸ手段を備え、前記判断手段により、設定ファイルのパラメータ属性が、装置からのＦＡＸ送信の宛先番号と判断された場合に、前記操作パネル制御手段は前記操作キーの１つをＦＡＸ送信の宛先番号に係るワンタッチキーとして表示させることを特徴とする。
【００１１】
また、さらに、メール送信を行うメーラー手段を備え、前記判断手段により、設定ファイルのパラメータ属性が、装置からのメール送信先と判断された場合に、前記操作パネル制御手段は前記操作キーの１つをメール送信先に係るワンタッチキーとして表示させることを特徴とする。
また、さらに、原稿を読み取って画像データを生成する画像読み取り手段を備え、前記操作パネル制御手段は、ワンタッチキーの表示と共に、前記画像読み取り手段を、ＦＡＸ送信またはメール送信すべき原稿の読み取り待機状態に設定することを特徴とする。
【００１２】
この構成によれば、ユーザの使い勝手を向上させることができる。
また、前記操作パネル制御手段は、ワンタッチキーを暫定的に表示させ、当該ワンタッチキーが、未使用のまま所定時間経過したと判断すると、前記ワンタッチキーの表示を解除することを特徴とする。
この構成によれば、時間経過後にはワンタッチキーの表示が解除されるため、ワンタッチキーを設定したユーザ以外のユーザにワンタッチキーが使用される可能性を低減できる。また、ワンタッチキーを暫定的に扱うことにより、一旦設定したワンタッチキーを解除する負担をユーザにもたらすことはない。このため、ユーザは、ちょっとした送信に気軽にワンタッチキーを設定し利用することが可能となる。
【００１３】
また、前記操作パネル制御手段は、表示解除までの残り時間をカウントダウン表示させることを特徴とする。
また、前記操作パネル制御手段は、ワンタッチキーを暫定的に表示させ、当該ワンタッチキーの、使用履歴に応じて表示を解除することを特徴とする。
この構成によれば、例えば、使用履歴としてワンタッチキーの利用の有無（または利用回数など）を管理し、利用が有れば表示を解除することにより、使用される可能性の少ないワンタッチキーを表示を解除でき、操作パネル部の表示感を向上させることができる。
【００１４】
また、さらに、前記操作パネル部を利用する利用ユーザを識別する識別手段を備え、前記操作パネル制御手段は、利用ユーザの識別を契機として、当該利用ユーザに関するワンタッチキーを表示させることを特徴とする。
この構成によれば、例えば、利用ユーザに関するワンタッチキーだけを表示させることで、利用ユーザ以外のユーザが設定したワンタッチキー表示によるプライバシーやセキュリティ上の問題が生じることを防止できる。また、利用ユーザに、より目的のワンタッチキーを簡単に見つけることを可能にする。
【００１５】
また、前記転送された設定ファイルは、ＸＭＬ形式で記述されており、画像処理装置は、さらに、ＸＭＬ形式のファイルを解析するＸＭＬ解析手段を備え、前記判断手段は、ＸＭＬ解析手段の解析結果に基づいて、前記設定ファイルのパラメータ属性を判断することを特徴とする。
設定ファイルを、XML形式で記述することで高い自由度と拡張性を実現することが可能となる。
【００１６】
また、さらに、原稿を読み取って画像データを生成する画像読み取り手段を備え、前記設定ファイルには、読み取り原稿サイズまたは読み取り解像度を含む画像読み取り条件に関するパラメータが含まれていることを特徴とする。
また、前記ソースファイルは、さらに、ドラッグアンドドロップされたアイコンに対応する設定ファイルの適合性を判断させる判断モジュールを含み、前記転送モジュールは、適合性を有すると判断された設定ファイルを転送させることを特徴とする。
【００１７】
この構成によれば、適合性を欠いた設定ファイルの転送に起因した、ネットワークトラフィックの浪費を防止し、また、クライアントより処理能力が低いことが多い画像処理装置における処理負荷を低減することができる。
また、本発明に係る画像処理装置は、クライアントとネットワーク接続された画像処理装置であって、設定画面のソースファイルを格納する格納手段と、クライアントからの要求に応じて、前記ソースファイルをクライアントに提供する提供手段と、前記ソースファイルに基づいてクライアントにおいて表示される設定画面に関して、当該設定画面の所定領域内へアイコンのドラッグアンドドロップを、クライアントの検出機能を用いて検出させる検出手段と、ドラッグアンドドロップされたアイコンに対応する設定ファイルを、クライアントの転送機能を用いて自装置に転送させる転送手段と、転送された設定ファイルに含まれる画像処理に関するパラメータを自装置のパラメータとして設定する設定手段とを備えることを特徴する。
【発明を実施するための最良の形態】
【００１８】
以下、本実施の形態について図面を参照しながら説明する。
（実施の形態１）
１、構成
１−１、システム構成
図１は、実施の形態１に係る画像処理システムのシステム構成の概要を示す図である。
【００１９】
図１に示すように、画像処理システム１は、ＬＡＮ（Local Area Network）上のネットワーク接続された４台のＭＦＰ（Multi Function Peripheral）３〜６と、ＰＣ（Personal Computer）１００とからなる。
各装置には、固定のＩＰ（Internet Protocol)アドレスが割り当てられている。
ＰＣ１００は、ＰＣ本体１０１、モニタ１０２、キーボード１０３、２ボタン式のマウス１０４を備えている。
【００２０】
１−２、ＭＦＰの構成
図２は、ＭＦＰ３の構成を示す機能ブロック図である。なお、ＭＦＰ４，５，６はＭＦＰ３と同様の構成をしている。
ＭＦＰ３は、制御部１０、スキャナ部１２、ＦＡＸ部１４、メール送受信部１６、記憶部１８、ネットワークI/F部２４、操作パネル部２６、プリンタ部２８、Ｗｅｂサーバアプリ部３０、ＸＭＬ解析部３２を備えている。
【００２１】
制御部１０は、ＭＦＰ３の各部の動作を統括的に制御する機能ブロックであり、例えば操作パネル部２６の表示制御・入力受け付け及びWebサーバアプリ部３０の制御などを行う。
スキャナ部１２は、シートフィーダ（図示しない）に載置された原稿を読み取って、画像データを生成する。
【００２２】
ＦＡＸ部１４は、電話回線を経由したＦＡＸの送受信を行う。
メール送受信部１６は、メーラーを含んでおり、電子メールの作成、送信、受信を行う。
記憶部１８は、例えばハードウェアとしてＨＤＤ（Hard Disk Drive）とＥＰＲＯＭなどから構成され、ウェブコンテンツファイル２０、アカウント情報２１、装置環境設定データ２２、アドレスデータ２３を記憶している。
【００２３】
ウェブコンテンツファイル２０は、Ｗｅｂブラウザ上で閲覧される（表示される）ウェブコンテンツのソースファイルである。
本実施の形態では、ウェブコンテンツファイル２０は、ＸＭＬ(Extensible Markup Language)形式であり、スクリプトとしてJava（登録商標）Scriptが埋め込まれている。
ウェブコンテンツファイル２０は機能的に、表示部２０ａ、検出部２０ｂ、転送部２０ｃを備えている。
【００２４】
表示部２０ａは、Ｗｅｂブラウザ上に文字・画像・フレームなどを表示させるソースであり、後述する設定画面（図６参照）のソースでもある。
検出部２０ｂは、表示するＷｅｂブラウザのウインドウ内の一部をドラッグアンドドロップ領域として指定し、この領域内へのアイコン（「アイコン」とは、ファイルの内容・機能やファイルが実行されるプログラムの種類などを表す図柄である。）のドラッグアンドドロップ(drag and drop)を検出するソースである。
【００２５】
具体的には、座標指定により、長方形領域を上記ドラッグアンドドロップ領域として指定する。また、"onmousedown"（マウスボタンが押された）、"onmouseup"（マウスボタンが離された）、"onmousemove"（マウスカーソルが移動した）、といったイベントハンドラがソース内に記述されており、ドラッグアンドドロップ領域へのアイコンのドラッグアンドドロップを検出する。
【００２６】
転送部２０ｃは、ドラッグアンドドロップされたアイコンのファイルパスに基づいてファイルを取得し、このファイルの属性や内容などの適合性を解析する。そして、解析結果が所定条件を満足したファイルを、コンテンツを閲覧しているクライアントＰＣから自装置（ＭＦＰ３宛）に転送させる。
アカウント情報２１は、装置用アカウントとＷｅｂサーバ用アカウントとを含んでいる。
【００２７】
装置用アカウントは、ＭＦＰ３本体の利用に要するアカウントである。
Ｗｅｂサーバ用アカウントは、Ｗｅｂサーバへのログインに要するアカウントであり、管理者(アドミン)用と一般ユーザ用の２つのタイプがある。
装置環境設定データ２２は、電源管理など装置の環境に関する設定データである。
アドレスデータ２３は、ＦＡＸ送信用の電話番号や、メール送信用のメールアドレスなど宛先に関するデータである。
【００２８】
ネットワークI/F(Interface)部２４は、ＮＩＣ（Network Interface Card）を含んで構成され、外部装置とのデータ送受信のインターフェイスである。
操作パネル部（オペレーションパネル部）２６は、ハードウェアとしては、タッチパネル機能付き表示画面と押しボタンキーとから構成され、ユーザに対して各種表示を行うとともに、ユーザから操作入力を受け付ける。
【００２９】
操作パネル部２６のタッチパネル機能付き表示画面は、一般に迅速なキー入力に向いていないため、可能な限り表示を簡単にすること、加えてなるべく少ない打鍵数でユーザが所望する内容を実行することが求められている。
プリンタ部２８は、画像データを用紙に印字するプリント処理を行う。
Ｗｅｂサーバアプリ部３０は、Ｗｅｂブラウザからのアクセス(HTTP要求)を受け付けると、コンテンツとしてのウェブコンテンツファイル２０をＷｅｂブラウザへと送り返す。
【００３０】
ＸＭＬ解析部３２は、ＸＭＬパーサを含み、ＸＭＬ形式のデータを解析し、また、他の機能ブロックが利用しやすい形に変換する。
１−３、ＰＣの構成
図３は、ＰＣ１００の構成を示す機能ブロック図である。
ＰＣ１００は、制御部１１０、メーラー１１１、Ｗｅｂブラウザ１１２、記憶部１１３、ＸＭＬコンバータ１１７、ネットワークI/F部１１８、操作入力部１１９、表示部１２０を備えている。
【００３１】
制御部１１０は、ＰＣ１００の各部の動作を統括的に制御する。
メーラー１１１は、電子メールソフトである。
Ｗｅｂブラウザ１１２は、(1)指定されたURLにHTTP要求を送信することで、ウェブコンテンツファイルを取得し、(2)取得したウェブコンテンツファイルを解析し、(3)ユーザにとって読みやすい形式のウェブコンテンツとして表示する、ソフトである。
【００３２】
また、Ｗｅｂブラウザ１１２は取得したウェブコンテンツファイルに含まれるJava（登録商標）Scriptなどのスクリプトに対応している。Java（登録商標）Scriptのスクリプトエンジンを備えているとも言い得る。
記憶部１１３は、ＨＤＤから構成され、アドレス帳データ１１４，環境設定パラメータファイル１１５、宛先設定パラメータファイル１１６を記憶している。
【００３３】
アドレス帳データ１１４は、メーラー１１１のアドレス帳データであり、少なくても個人単位の（あるいはグループ単位の）メールアドレスを含む。アドレス帳データには、さらに、電話番号、住所、会社名、部署名、会社の役職名などを含ませても構わない。
装置環境設定パラメータデータ１１５は、ＭＦＰ３の装置環境設定のため設定パラメータが記述されたＸＭＬ形式のファイル（図７参照）を含む。
【００３４】
アドレス設定パラメータデータ１１６は、ＭＦＰ３からＦＡＸ送信やメール送信する送信先アドレス（宛先）が記述されたＸＭＬ形式のファイルを含む。
ＸＭＬコンバータ１１７は、ＰＣ１００が備えている各種データをＸＭＬ形式に変換するコンバータである。
ネットワークI/F部１１８は、他装置とデータの送受信を行うインターフェイスである。
【００３５】
操作入力部１１９は、キーボード１０３とマウス１０４（図１参照）などの入力デバイスから構成され、操作入力をユーザから受け付ける。
表示部１２０は、モニタ１０２から構成され、ユーザに対して各種表示を行う。
２、装置環境設定のプロセス
２−１、プロセスの概要
図４は、ＭＦＰ３の管理者であるユーザＡが、ＰＣ１００から（Ｗｅｂブラウザ１１２から）リモートでＭＦＰ３の装置環境を設定する際の概要を示す図である。
【００３６】
ここで簡単に手順を述べ、その後細部について説明する。
（１）Ｗｅｂブラウザ１１２は、ＭＦＰ３にＨＴＴＰ要求を送信する。
（２）ＨＴＴＰ要求を受けたＷｅｂサーバアプリ部３０は、ウェブコンテンツファイルを返送する。
（３）Ｗｅｂブラウザ１１２は、ウェブコンテンツファイルを解析して、ウェブコンテンツとして表示する。
【００３７】
（４）ウインドウの所定領域内へのアイコンのドラッグアンドドロップを検出する。
（５）上記アイコンに対応するファイルの内容を解析し、その後ファイル転送を開始する。
（６）ＰＣ１００からＭＦＰ３へとファイルを転送する（アップロードする）。
（７）ＭＦＰ３は、転送されたファイルを解析する。
【００３８】
（８）ファイル内容を装置環境設定として反映する。
（９）ＭＦＰ３から設定反映完了通知としてのウェブコンテンツファイルを、ＰＣ１００に送信する。
（１０）Ｗｅｂブラウザは設定反映完了の旨を表示する。
２−２、Ｗｅｂブラウザ画面
図５は、Ｗｅｂブラウザ１１２のウインドウ１３０示す図である。
【００３９】
本実施の形態では、Ｗｅｂブラウザ１１２として、Internet Explorer（商標）を用いている。なお、ＷｅｂブラウザとしてFireFox（商標）やOpera（商標）を用いても構わない。
アドレスバー１３２のＵＲＬは、ＭＦＰ３のＩＰアドレス"150.16.191.50"を含んでいる。
【００４０】
ウインドウ１３０内には、アカウント名とパスワード１３４の入力ボックス１３３，１３４が表示されている。ログインボタン１３６が押下されると入力ボックス１３３，１３４内の文字列がＭＦＰ３に送信され、送信された情報がＭＦＰ３のアカウント情報２１と一致すれば管理者(admin)としてログインすることとなる。
次に、管理者ログインに成功した後の、Ｗｅｂブラウザの表示画面や装置環境の設定方法について説明する。
【００４１】
図６は、モニター１０２のデスクトップ１３９を示す図である。
デスクトップ１３９内には、Ｗｅｂブラウザ１１２のウインドウ１４０と、ファイラーのウインドウ１５０が表示されている。
ウインドウ１４０内の、長方形をした領域１４５はアイコンのドラッグアンドドロップを受け付けるドラッグアンドドロップ領域である。領域１４５内には、「システム環境設定ファイルをドラッグアンドドロップして下さい」とのメッセージが表示されている。
【００４２】
なお、ログアウトボタン１４６が押下されると、管理者モードからログアウトすることとなる。
ファイラーのウインドウ１５０内には、"Sys＿Management"ファイルアイコン１５２と"Sys＿machineSetting"ファイルアイコン１５４が表示されている。ファイルアイコン１５２，１５４は、装置環境設定のための設定パラメータが記述されたファイルのアイコンである。
【００４３】
図７は、"Sys＿Management"ファイル１５３の概要を示す図である。
"Sys＿Management"ファイル１５３は、ファイルアイコン１５２に対応するファイルであり、装置環境の一部である電源管理に関する設定パラメータがＸＭＬ形式で記述されている。
各タグの意味は次の通りである。
<mng＿id>・・・管理者ＩＤ
<power＿manage>・・・電源管理
<auto＿p＿off>・・・自動電源オフ機能の有無
<p＿off＿time>・・・自動電源オフの時間
<auto＿p＿save>自動省電力機能の有無
図６に戻って、マウスカーソル１６２に重ねられたファイルアイコン１５２は領域１４５内にドラッグされている。なお、マウスカーソル１６２の軌跡を点線１６４で示している。
【００４４】
２−３、Ｗｅｂブラウザ１１２側の処理
図８は、Ｗｅｂブラウザ１１２が実行する処理内容を示すフローチャートである。
ステップＳ１１におけるドラッグアンドドロップ検出は、例えば次の（１）〜（２）ステップを経て行う。
（１）ドラッグアンドドロップ領域１４５内への、ファイルアイコンをドラッグしたマウスカーソルの進入を検知する。
【００４５】
（２）当該領域１４５内でのドロップ（マウスボタンの押下状態から離された状態への移行）を検知する。
ドラッグアンドドロップを検出すると（S11:Yes）、ドラッグアンドドロップされたファイルアイコンに対応するファイルに対して行うファイル内容解析処理(S12)のサブルーチンに移行する。
【００４６】
図９は、Ｗｅｂブラウザ１１２が実行するファイル内容解析処理を示すフローチャートである。
ファイル内容解析処理は、ファイルをＭＦＰ３に転送する前にファイルの適合性を判断する処理である。設定パラメータを含まない無意味なファイルや、悪意のあるスクリプトを含むファイルが、ＭＦＰ３に転送されてＭＦＰ３に処理負荷を与えるような事態を防止する。
【００４７】
まず、ファイル拡張子が有効かどうか判断する(S21)。この判断は、例えば拡張子が「.xml」であるファイルを有効とする。
続いて、ファイル内記載アイテムが有効かどうか判断する(S22)。具体的には、例えばファイル内に記載されたタグが有効かどうかを判断する。
そして、ファイル内記載パラメータが有効な範囲かどうか判断する（S23)。
【００４８】
これらの条件を満たせば(S21:Yes,S22:Yes,S23:Yes)、ファイルを有効と判断する(S24)。
図８のメインルーチンに戻って、ファイルが有効ならば(S13:Yes)、当該ファイルをMFP３に転送する(S14)。
無効ならば(S13:No)、例えば「ファイルが無効です。ドラッグアンドドロップできません」等のファイルが無効である旨のメッセージを表示する(S15)。
【００４９】
２−４、MFP３側の処理
図１０は、Ｗｅｂブラウザ１１２から転送されたファイルを受信したMFP３の制御部１０の処理内容を示すフローチャートである。
制御部１０は、Ｗｅｂサーバアプリ部３０を介してファイルを受信すると(S31:Yes)、ＸＭＬ解析部３２にファイル内の設定パラメータを解析させる(S32)。
【００５０】
ファイルに環境設定パラメータを含み(S33)、管理者権限が正当ならば(S34:Yes)、制御部１０は、設定パラメータの設定を反映する(S35)。なお、環境設定パラメータを含まないか(S33:No)管理者権限が正当でないならば(S34:No)、制御部１０は、Ｗｅｂサーバアプリ部３０を制御してエラー通知をＷｅｂブラウザ１１２に転送させ（S38）、ブラウザ画面にその旨を表示させる。
【００５１】
ここで、ステップＳ３４の管理者権限が正当かどうかの判断は、（１）管理者ＩＤの整合性判断（２）管理者の行為が与えられた権限内か否かの判断を含む。
反映が完了すると(S36:Yes)、完了通知をＷｅｂブラウザ１１２に転送して（S37)、表示させる。
図１１は、完了通知が表示されたＷｅｂブラウザ１１２のウインドウ１４９を示す図である。
【００５２】
ウインドウ１４９内には、環境設定ファイルのファイル名と、システム環境設定（装置環境設定）として反映が完了したことが表示されている。
本実施の形態によれば、ＭＦＰ３の管理者であるユーザＡは、Ｗｅｂブラウザ１１２ウインドウ１４０の領域１４５に環境設定ファイルアイコンをドラッグアンドドロップするだけで、ＭＦＰ３の装置環境設定を変更することができるので、直感的で視覚的な操作感を実現することが可能となる。
【００５３】
また、ユーザＡが他のＭＦＰ４，５，６の管理者であれば、例えば、各ＭＦＰに対応したＷｅｂブラウザ１１２の３つの表示画面(URL:http://150.16.191.51,http://150.16.191.52,http://150.16.191.53)を起動させて、ＭＦＰの環境設定ファイルアイコンをそれぞれの表示画面にドラッグアンドドロップするたけで、各ＭＦＰの環境設定を簡単に行うこと可能となる。
（実施の形態２）
実施の形態２の概略は、ＭＦＰ３において、Ｗｅｂブラウザ１１２からＭＦＰ３からの送信処理に用いる宛先（アドレス）設定ファイルを受け付け、受け付けた設定ファイルに応じてＭＦＰ３の操作パネル部２６の表示形態を変更するものである。
【００５４】
本実施の形態においては、ＭＦＰ３の構成及びＰＣ１００の構成は実施の形態１と同様であるためその説明を省略する。
１、宛先設定のプロセス
１−１、プロセスの概要
図１２は、ＭＦＰ３の一般ユーザであるユーザＡが、ＰＣ１００から（Ｗｅｂブラウザ１１２から）リモートでＭＦＰ３からの送信に使用する宛先を設定した後、ＭＦＰ３の設置場所まで移動して、ＭＦＰ３から設定された宛先に送信する際の概要を示す図である。
【００５５】
本宛先設定のプロセスの前半部分（ＰＣ１００からリモートでＭＦＰ３からの送信に使用する宛先を設定する。）は、図４を用いて説明したプロセス（１）〜（１０）とほぼ同様であるため、その説明を省略する。
（１１）操作パネル部２６において、ユーザ名とパスワードの入力を受け付けるログイン画面５１を表示する。
【００５６】
（１２）ログインユーザに関する宛先設定をワンタッチキーとして示した送信画面５２を表示する。
（１３）ユーザによりワンタッチキーが押下され宛先が確定すると、シートフィーダに載置された原稿を読み取って画像データを生成し、宛先へと送信する。
１−２、Ｗｅｂブラウザ画面
図１３は、モニター１０２のデスクトップ２３９を示す図である。
【００５７】
デスクトップ２３９内には、Ｗｅｂブラウザ１１２のウインドウ２４０と、ファイラーのウインドウ２５０が表示されている。
ウインドウ２４０の、長方形をした領域２４５は、アイコンのドラッグアンドドロップを受け付けるドラッグアンドドロップ領域である。領域２４５内には、「送信設定ファイルをドラッグアンドドロップして下さい」とのメッセージが表示されている。
【００５８】
ファイラーのウインドウ２５０内には、"SCAN＿TO＿Minoru"ファイルアイコン２５２と"FAX＿TO＿Minoru"ファイルアイコン２５４が表示されている。ファイルアイコン２５２，２５４は、宛先設定のための設定パラメータが記述されたファイルのアイコンである。
図１４は、"SCAN＿TO＿Minoru"ファイル２５３の概要を示す図である。
"SCAN＿TO＿Minoru"ファイル２５３は、ファイルアイコン２５２に対応するファイルである。
【００５９】
各タブの意味は次の通りである。
<user＿id>・・・ユーザＩＤ
<scan2email>・・・スキャンした原稿をメール送信するという送信方式の指定（送信方式がＦＡＸ送信の場合には<FAX>のタグを用いる）
<mail-from>・・・メールの送信元
<mail-to>・・・メールの送信先
<mail-sub>・・・メールの件名
<scan-resolution>・・・スキャン時の解像度
<scan-size>・・・スキャンする原稿のサイズ
なお、"FAX＿TO＿Minoru"ファイルは、ＦＡＸ送信の宛先設定ファイルである。
【００６０】
１−３、Ｗｅｂブラウザ１１２側の処理
Ｗｅｂブラウザ１１２側の処理は、実施の形態１で説明した内容（図８参照）と同様である。
１−４、MFP３側の処理
図１５は、Ｗｅｂブラウザ１１２から転送された宛先設定ファイルを受信したMFP３の制御部１０の処理内容を示すフローチャートである。
【００６１】
制御部１０は、Ｗｅｂサーバアプリ部３０を介してファイルを受信すると(S41:Yes)、ＸＭＬ解析部３２にファイル内の設定パラメータを解析させる(S42)。
続くステップＳ４３では、パラメータの種別を判断する。この判断は、パラメータに電話番号が含まれていれば"ＦＡＸ"と判断し、含まれていないならば"Scan2email"と判断する。
【００６２】
"ＦＡＸ"と判断した場合には(S43:FAX)には、操作パネル部２６に、上記電話番号が関連付けられたFAX送信用ワンタッチキーを表示させる(S44）。
"Scan2email"と判断した場合(S43:Scan2email)には、操作パネル部２６に、Scan2email送信用ワンタッチキーを表示させる(S45）。
図１６は、制御部１０が実行するScan2email送信用ワンタッチキー表示処理を示すフローチャートである。
【００６３】
ワンタッチキー表示要求が有り(S51:Yes)、対象ユーザのＭＦＰ３へのログインが有れば(S52:Yes)、操作パネル部２６にワンタッチキーを表示させる（S53)。
図１７は、ステップＳ５３におけるワンタッチキー表示の一例としての、操作パネル部２６の表示画面５４を示す図である。
表示画面５４は、前述のようにタッチパネル機能を有しており、ワンタッチキー５５、「ＯＫ」キー５６、「キャンセル」キー５７は、押下により選択可能となっている。
【００６４】
表示画面５４内の上部には、ログイン中のユーザ名（ユーザＡ）、ワンタッチキー設定の解除までの残時間（１８０秒）が表示されている。この残時間は、時間経過と応じてカウントダウンされる。
ワンタッチキー５５には、送信方式を示す"scan2email"と、メール送信の宛先"minoru@zzz.yyy"が表示されている。
【００６５】
ワンタッチキー５５を押下により選択された状態で「ＯＫ」キー５６を押下されると、スキャナ部１２は、シートフィーダに載置された原稿の読み取り開始して、画像データを生成する。そして、メール送受信部１６は、生成された画像データを添付ファイルとしたメールを作成し、指定された宛先へと送信する、
図１６に戻って、ステップＳ５４においては、ワンタッチキーを使用した送信が完了したか、または不使用が確定すると、操作完了と判断し(S54:Yes)、ワンタッチキーの表示を解除する(S55)。
【００６６】
もしくは、設定時間が経過すると(S54:Yes)、ワンタッチキーの表示を解除する(S55)。このように時間経過による表示解除によれば、宛先を設定したユーザＡ以外のユーザに対して、宛先が漏洩したり宛先が無断利用されたりする可能性を低減できる。
以上説明したように、本実施の形態によれば、ＰＣ１００からＭＦＰ３のメール送信やＦＡＸ送信に用いる宛先を設定することが可能となる。
【００６７】
また、ＰＣ１００がユーザＡが普段から使用している端末ならば、ＰＣ１００からのメール送信に用いて居てたアドレス帳を、有効にＭＦＰ３からの送信に活用することができる。
（補足）
（１）実施の形態２では、パラメータの種別に応じて、自動的にワンタッチキーを表示させるとしたが（図１５参照）、ユーザに送信方法を選択させる構成としても構わない。
【００６８】
図１８は、係る構成を実現するフローチャートの例である。
フローの前半(S41〜S42)は、図１５のフローと同様である。
ステップＳ６３においては、送信方法選択画面を表示する。ＦＡＸが選択されれば(S64:Yes)、ＦＡＸ送信用ワンタッチキーを表示し(S65)、Ｓｃａｎが選択されれば(S64:No,S66:Yes)、スキャン送信用ワンタッチキーを表示する(S67)。
【００６９】
（２）実施の形態２では、ＭＦＰ３へのログインは、操作パネル部２６のログイン画面５１を介して行うとしたが、図１９に示すように、ＭＦＰ３に接続された認証装置（利用ユーザ識別装置）３００をログインに使用する構成としてもよい。
認証装置３００は、筐体上部にカード読み取り部３０１を備えている。
カード読み取り部３０１は、読み取り溝を通過したカードの磁気情報を読み取ることで、ＭＦＰ３の利用ユーザを認証する。
【００７０】
（３）実施の形態１，２では特に詳細を述べなかったが、ドラッグアンドドロップするＸＭＬ形式の設定ファイルは例えば次のようにして作成されたものである。
図２０は、ＸＭＬコンバータ１１７が、アドレス帳１１４を変換して設定ファイル２７０を生成する様子を示す模式図である。
ＸＭＬコンバータ１１７は、アドレス帳１１４中のデータを解析して、アドレス帳中の個人名やメールアドレスを記述したＸＭＬ形式のファイル（ファイルアイコン２７０）を生成する。
【００７１】
（４）実施の形態１，２では、クライアントとしていわゆるデスクトップパソコンを例に挙げたが、クライアント端末はこれに限らず、入力デバイスとしてスタイラスペンを備えた携帯情報端末（PDA:Personal Digital Assistants）を用いてもよい。
【産業上の利用可能性】
【００７２】
本発明に係る画像処理装置は、直感的で視覚的な操作感で、画像処理装置の数多くの設定項目のパラメータを設定できるので有用である。
【図面の簡単な説明】
【００７３】
【図１】画像処理システム１のシステム構成の概要を示す図である。
【図２】ＭＦＰ３の構成を示す機能ブロック図である。
【図３】ＰＣ１００の構成を示す機能ブロック図である。
【図４】ＰＣ１００からリモートでＭＦＰ３の装置環境を設定する際の概要を示す図である。
【図５】Ｗｅｂブラウザ１１２のウインドウ１３０示す図である。
【図６】モニター１０２の表示画面１３９を示す図である。
【図７】"Sys＿Management"ファイル１５３の概要を示す図である。
【図８】Ｗｅｂブラウザ１１２が実行する処理内容を示すフローチャートである。
【図９】Ｗｅｂブラウザ１１２が実行するファイル解析処理を示すフローチャートである。
【図１０】ファイルを受信したMFP３の制御部１０の処理内容を示すフローチャートである。
【図１１】完了通知が表示されたＷｅｂブラウザ１１２のウインドウ１４９を示す図である。
【図１２】ＭＦＰ３の一般ユーザであるユーザＡが、ＰＣ１００から（Ｗｅｂブラウザ１１２から）リモートでＭＦＰ３からの送信に使用する宛先を設定した後、ＭＦＰ３の設置場所まで移動して、ＭＦＰ３から設定された宛先に送信する際の概要を示す図である。
【図１３】モニター１０２の表示画面２３９を示す図である。
【図１４】メール送信の宛先設定ファイルである"SCAN＿TO＿Minoru"ファイル２５３の概要を示す図である。
【図１５】Ｗｅｂブラウザ１１２から転送された宛先設定ファイルを受信したMFP３の制御部１０の処理内容を示すフローチャートである。
【図１６】制御部１０が実行するScan2email送信用ワンタッチキー表示処理を示すフローチャートである。
【図１７】ステップＳ５３におけるワンタッチキー表示の一例としての、操作パネル部２６の表示画面５４を示す図である。
【図１８】Ｗｅｂブラウザ１１２から転送された宛先設定ファイルを受信したMFP３の制御部１０の処理内容の変形例を示すフローチャートである。
【図１９】ＭＦＰ３と認証装置３００とを示す図である。
【図２０】ＸＭＬコンバータ１１７が、アドレス帳１１４を変換して設定ファイル２７０を生成する様子を示す模式図である。
【符号の説明】
【００７４】
１  画像処理システム
３，４，５，６，  ＭＦＰ
１０  制御部
１２  スキャナ部
１４  ＦＡＸ部
１６  メール送受信部
１８  記憶部
２０  ウェブコンテンツファイル
２０ａ  表示部
２０ｂ  検出部
２０ｃ  転送部
２１  アカウント情報
２２  装置環境設定データ
２３  アドレスデータ
２６  操作パネル部
３０  Ｗｅｂサーバアプリ部
３２  ＸＭＬ解析部
５１  ログイン画面
５５  ワンタッチキー
１００  ＰＣ
１０４  マウス
１１２  Ｗｅｂブラウザ
１１４  アドレス帳データ
１１５  環境設定パラメータデータ
１１６  宛先設定パラメータデータ
１４０，２４０  Ｗｅｂブラウザのウインドウ
１４５，２４５  ドラッグアンドドロップ領域
１５２  ファイルアイコン
１６２，２６２  マウスカーソル
【図１】
2007300480.tif 000003
【図２】
2007300480.tif 000004
【図３】
2007300480.tif 000005
【図４】
2007300480.tif 000006
【図５】
2007300480.tif 000007
【図６】
2007300480.tif 000008
【図７】
2007300480.tif 000009
【図８】
2007300480.tif 000010
【図９】
2007300480.tif 000011
【図１０】
2007300480.tif 000012
【図１１】
2007300480.tif 000013
【図１２】
2007300480.tif 000014
【図１３】
2007300480.tif 000015
【図１４】
2007300480.tif 000016
【図１５】
2007300480.tif 000017
【図１６】
2007300480.tif 000018
【図１７】
2007300480.tif 000019
【図１８】
2007300480.tif 000020
【図１９】
2007300480.tif 000021
【図２０】
2007300480.tif 000022